(57)【要約】【課題】女性用きもの帯文化と西洋からの革バッグ文化とを融合させて、きもの帯を独創性及び斬新性に富んだ高級なバッグに創作・蘇生させた帯ハンドバッグを提供すること。【解決手段】底部の対向する長辺からそれぞれ上方へ所定高さ延設された対向する前側の表面部及び後側の裏面部並びに頂部に開口１８を設け内部に所定大きさの収納部２０を有するバッグ本体１１と、このバッグ本体の開口側に取付けられた持ち手と、を備えた帯ハンドバッグであって、バッグ本体１１は、底部１２及び裏面部１４が皮革からなり、表面部が女性用のきもの帯から絵柄部分を含めた所定大きさ裁断したきもの帯片１５からなり、このきもの帯片は絵柄の裏面側が該絵柄の刺繍された帯糸材が表面側へ解れ出さないように解れ防止加工が施されている。【選択図】図１
0003169906.tif 000002
【実用新案登録請求の範囲】
【請求項１】
底部の対向する長辺からそれぞれ上方へ所定高さ延設された対向する前側の表面部及び後側の裏面部並びに頂部に開口を設け内部に所定大きさの収納部を有するバッグ本体と、前記バッグ本体の開口側に取付けられた持ち手と、を備えた帯ハンドバッグであって、
前記バッグ本体は、前記底部及び裏面部が皮革からなり、前記表面部が女性用きもの帯から絵柄部分を含めた所定大きさに裁断したきもの帯片からなり、前記きもの帯片には前記絵柄の裏面側が該絵柄の刺繍された帯糸材が表面側へ解れ出さないように解れ防止加工が施されていることを特徴とする。
【請求項２】
前記きもの帯片は、前記きもの帯の太鼓部分を裁断したものであることを特徴とする請求項１に記載の帯ハンドバッグ。
【請求項３】
前記解れ防止加工は、前記絵柄を刺繍した帯糸材を接着剤で固定、又は片面接着テープを貼着したものであることを特徴とする請求項１又は２に記載の帯ハンドバッグ。
【請求項４】
前記表面部は、上下及び左右の辺が所定幅長の枠片で囲んで内部に窓穴を設けた額縁状にして、前記窓穴が前記きもの帯片で塞がれていることを特徴とする請求項１〜３のいずれかに記載の帯ハンドバッグ。
【請求項５】
前記表面部は、上及び左右の辺が所定幅長の枠片で囲んで間に隙間を設けた門型状にして、前記隙間が前記きもの帯片で塞がれていることを特徴とする請求項１〜３のいずれかに記載の帯ハンドバッグ。
【請求項６】
前記皮革は、動物、爬虫類、鳥類のいずれかの皮を素材に加工したもの、又はそれらのいずれかを組み合わせたものであることを特徴とする請求項１〜５のいずれかに記載の帯ハンドバッグ。
【請求項７】
前記表面部の皮革は、前記きもの帯片の絵柄の色と反対色のものが選択されていることを特徴とする請求項１〜６のいずれかに記載の帯ハンドバッグ。
【請求項８】
前記表面部及び裏面部の少なくとも一方が、前記底部から前記開口へ向かうに従って前記皮革繊維方向が伸び難い皮革で形成されていることを特徴とする請求項１〜７のいずれかに記載の帯ハンドバッグ。
【請求項９】
前記バッグ本体は、前記底部の対向する短辺からそれぞれ上方へ所定高さ延設された対向するマチ部を有し、前記各マチ部は前記裏面部及び底部から延設された前記皮革で形成されていることを特徴とする請求項１〜８のいずれかに記載の帯ハンドバッグ。
【請求項１０】
前記バッグ本体は、内部が内張りされて、前記内張りに前記きもの帯を裁断した裁断片でポケットが設けてあることを特徴とする請求項１〜９のいずれかに記載の帯ハンドバッグ。
【請求項１１】
前記持ち手部は、所定の幅又は太さの紐革からなり、前記紐革は前記皮革と同じものを使用して、革繊維の伸びが少ない方向に裁断したもので形成されていることを特徴とする請求項１に記載の帯ハンドバッグ。
【考案の詳細な説明】
【技術分野】
【０００１】
本考案は、女性用きもの帯の一部を素材に製作した帯ハンドバッグに係り、更に詳しくは、女性用きもの帯がもつ古くから伝承されてきている日本の帯文化と西洋の革バッグ文化とを融合させて、日本のきもの帯の特徴を活かして独創性及び斬新性に富んだバッグに創作・蘇生させた帯ハンドバッグに関するものである。
【背景技術】
【０００２】
世界の国々には、それぞれの人種・民族が誇りとする固有の衣装、いわゆる民族衣装が存在する。この民族衣装は、それぞれの国々により異なり多種多様なものとなっている。日本の民族衣装は、和服、すなわち着物（きもの）であり、特に、女性用きもの及びその付属品、例えば帯、草履などは、美しく華やかであるとともに気品に溢れ、永い歴史を経て創造された日本の伝統文化を象徴する伝統工芸品ともなっている。このようなきもの、帯及び履物などは、今日では特別の日、例えば、正月や、結婚式などの冠婚葬祭、或いは外国要人の歓迎パーテーや、オリンピックなどで国旗を背負った競技の表彰式などで着用されている。そしてまた、このようなきもの、帯及び履物などは、女性の間で極めて貴重なものとして扱われており、女一代の使用が終わると、代々、例えば母親からその娘、また、娘から孫娘などへと受け継がれて、日本古来の家制度における絆を持続させるとともに、親子の形見品ともなっている。
【０００３】
しかしながら、時代の変化・変遷により、生活様式が変わり、若い人の洋風化志向に伴い、近年は、きものを着用する機会が極端に少なくなり、その結果、このきものなどは、タンスの中にしまい込まれて永い期間眠ったままの状態で保管されるようになってきている。この状態を打開するために、なんらかの処分も考えられるが、処分しようとすると、それらのきものなどには先祖代々からの想いが込められており、代々の贈り主のことを考えると、安易に捨てるなどの処分ができず、受け継いだ持ち主の頭痛の種ともなっている。このような状況から、このようなきもの、帯を他のものに作り直す、すなわち再利用することが提案されている。
【０００４】
例えば、下記特許文献１には、使われなくなった帯を用いて製作したバッグが記載されている。なお、図１０はこの特許文献１に記載されたバッグの斜視図である。このバッグ３０は、本体部分３１の表地の全体若しくは部分を構成する素材として、所定形状に裁断した和装帯を用い、また、本体部分の裏地の全体若しくは部分を構成する素材として、所定形状に裁断した和装帯を用いたもの、さらに、これらの素材は、異なる種類の和装帯の断片どうしを継ぎ合わせたものとなっており、和服には、使われなくなったものが使用されている。
【０００５】
図１０を参照して、このバッグを更に詳述すると、このバッグ３０は、小型のハンドバッグであって、本体部分３１と、その開口部３２の後側の上端縁に連設されたカバー３３とで構成されている。バッグ３０は、その本体部分３１の前面の中央部と、カバー３３の裏面側中央部に一対のホック３４、３５がそれぞれ固着されている。これらのホック３４、３５は、その少なくとも一方に永久磁石が内蔵されており、カバー３３を閉じて開口部３２を覆った状態で互いに永久磁石の磁力によって吸着してカバー３３を閉止状態に維持するようになっている。また、このバッグ３０は、手提げとして用いるチェーンが設けられている。このチェーン３６は、その両端部にそれぞれ連結環が取付けられており、これらの連結環は、カバー３３の裏面に固着されている一対の保持金具にそれぞれ揺動自在に保持されている。和装帯には、使われなくなったものを用い、バッグ３０を構成する本体部分３１とカバー３３の表地に使用されている。なお、このバッグ３０は、表地がポリエステル、ポリアミド等で覆われている。
【先行技術文献】
【特許文献】
【０００６】
【特許文献１】実用新案登録第３１２８８８４号公報（段落〔００１６〕〜〔００１８〕、〔００２７〕、図１）
【考案の概要】
【考案が解決しようとする課題】
【０００７】
上記特許文献１のバッグによれば、使われなくなった和服帯を用いて、それをバッグに作り換えるので、和服帯をバッグとしての再利用が可能となる。しかしながら、このバッグは、和服帯、すなわちきもの帯が持つ伝承された伝統美が生かされて作られたものとは言えず、以下の課題が潜在している。
（イ）きもの帯は、昔からきもの一枚に帯３本と言われて、季節、場所などに合わせて使用されるので、その種類が多く、また、殆ど同じものがないとも言える。そのために、上記特許文献１のバッグのように、単に、帯地を用いて作製しても、帯が持つ伝統美をバッグに反映させることができず、高級感に乏しいものとなっている。
（ロ）バッグは、きもの帯に比べて、その使用頻度が極めて多く、使用中にバッグ表面が他のモノに触れる機会が多くなる。バッグ表面がモノに触れると、モノが帯地の表面の織り糸に引っ掛かり、織り糸が解れてしまい、この解れは補修不能となることがある。特に、表面には刺繍などで絵柄が描かれていることから、この絵柄が解れると、絵柄の体裁をなさなくなり、補修不能な状態になって、廃棄せざるを得なくなる。
（ハ）バッグを帯地だけで作製しても、弱々しく、型崩れが起こり易くなり、使用に耐え難くなる。
【０００８】
そこで本考案者らは、従来技術の帯地を用いたバッグは上記の課題が潜在していることから、これらの課題を解消し、日本のきもの帯に伝承された帯文化と西洋の革バッグ文化とを融合させて、如何にすれば独創性及び斬新性に富んだバッグにきもの帯を創作・蘇生させることができるかを鋭意探求した。その探求過程において、これまでのハンドバッグは、有名ブランドのものが多く、この種の有名ブランドのハンドバッグは、大量生産されてブランド力をテコにして、世界中で大量に販売されている。しかしながら、このようなブランド品は、概ね、その寿命が極めて短く、次々に新ブランド品が発表されていることから、新製品の発表毎に、前のものが陳腐化し、その価値も低下する運命となっており、長く持ち続けることが時代遅れ感を与えてしまうことになる。そうかと言って、その度々の新製品毎に買い換えることなどができず、資源の無駄にもなっている。また、このようなハンドバッグは、動物、爬虫類或いは鳥類などの皮を加工・色付けなどした皮革を用いて作製されているが、皮の加工方法或いは色付けなどは、西洋において古くから伝承されてきた技術がある。一方、日本のきもの帯は、古きよき時代の職人の情熱、信念が織り込まれており、その品数も少なく、絵柄も異なり同じものが２つとない逸品、貴重品ともなっている。このような背景から、日本のきもの帯、すなわち絵柄などを付けた帯地と西洋のハンドバッグ、すなわち西洋技術の革とを組み合わせると、日本のきもの帯に伝承された帯文化と西洋の革製バッグ文化とが融合されて、大量生産でなく、一つ一つがハンドメイドとなって、ハンドバッグに日本のきもの帯が持つ繊細・精緻に創り上られた模様、気品、優雅さなど崇高な伝統美を反映させて日本帯を創作・蘇生ができることに想到し、本考案を完成させるに至ったものである。
【０００９】
そこで本考案は、従来技術のバッグが抱える課題を解決すると共に上記の着想に基づいてなされたもので、本考案の目的は、女性用きもの帯がもつ日本の古くから伝承されてきた帯文化と西洋からの革バッグ文化とを融合させて、きもの帯を独創性及び斬新性に富んだ高級なバッグに創作・蘇生させた帯ハンドバッグを提供することにある。
【００１０】
本考案の他の目的は、きもの帯の帯地を使用しても、表面からの解れがないように加工された帯ハンドバッグを提供することにある。
【００１１】
本考案のまた他の目的は、さらに型崩れがしない帯ハンドバッグを提供することにある。
【課題を解決するための手段】
【００１２】
上記課題を解決するために、本考案の第１の態様の帯ハンドバッグは、底部の対向する長辺からそれぞれ上方へ所定高さ延設された対向する前側の表面部及び後側の裏面部並びに頂部に開口を設け内部に所定大きさの収納部を有するバッグ本体と、前記バッグ本体の開口側に取付けられた持ち手と、を備えた帯ハンドバッグであって、前記バッグ本体は、前記底部及び裏面部が皮革からなり、前記表面部が女性用きもの帯から絵柄部分を含めた所定大きさに裁断したきもの帯片からなり、前記きもの帯片には前記絵柄の裏面側が該絵柄の刺繍された帯糸材が表面側へ解れ出さないように解れ防止加工が施されていることを特徴とする。
【００１３】
また、第２の態様の帯ハンドバッグは、前記第１の態様の帯ハンドバッグにおいて、前記きもの帯片は、前記きもの帯の太鼓部分を裁断したものであることを特徴とする。
【００１４】
また、第３の態様の帯ハンドバッグは、前記第１又は２の態様の帯ハンドバッグにおいて、前記解れ防止加工は、前記絵柄を刺繍した帯糸材を接着剤で固定、又は片面接着テープを貼着したものであることを特徴とする。
【００１５】
また、第４の態様の帯ハンドバッグは、前記第１〜３のいずれかの態様の帯ハンドバッグにおいて、前記表面部は、上下及び左右の辺が所定幅長の枠片で囲んで内部に窓穴を設けた額縁状にして、前記窓穴が前記きもの帯片で塞がれていることを特徴とする。
【００１６】
また、第５の態様の帯ハンドバッグは、前記第１〜３のいずれかの態様の帯ハンドバッグにおいて、前記表面部は、上及び左右の辺が所定幅長の枠片で囲んで間に隙間を設けた門型状にして、前記隙間が前記きもの帯片で塞がれていることを特徴とする。
【００１７】
また、第６の態様の帯ハンドバッグは、前記第１〜５のいずれかの態様の帯ハンドバッグにおいて、前記皮革は、動物、爬虫類、鳥類のいずれかの皮を素材に加工したもの、又はそれらのいずれかを組み合わせたものであることを特徴とする。
【００１８】
また、第７の態様の帯ハンドバッグは、前記第１〜６のいずれかの態様の帯ハンドバッグにおいて、前記表面部の皮革は、前記きもの帯片の絵柄の色と反対色のものが選択されていることを特徴とする。
【００１９】
また、第８の態様の帯ハンドバッグは、前記第１〜７のいずれかの態様の帯ハンドバッグにおいて、前記表面部及び裏面部の少なくとも一方が、前記底部から前記開口へ向かうに従って前記皮革繊維方向が伸び難い皮革で形成されていることを特徴とする。
【００２０】
また、第９の態様の帯ハンドバッグは、前記第１〜８のいずれかの態様の帯ハンドバッグにおいて、前記バッグ本体は、前記底部の対向する短辺からそれぞれ上方へ所定高さ延設された対向するマチ部を有し、前記各マチ部は前記裏面部及び底部から延設された前記皮革で形成されていることを特徴とする。
【００２１】
また、第１０の態様の帯ハンドバッグは、前記第１〜９のいずれかの態様の帯ハンドバッグにおいて、前記バッグ本体は、内部が内張りされて、前記内張りに前記きもの帯を裁断した裁断片でポケットが設けてあることを特徴とする。
【００２２】
また、第１１の態様の帯ハンドバッグは、前記第１〜１０のいずれかの態様の帯ハンドバッグにおいて、前記持ち手部は、所定の幅又は太さの紐革からなり、前記紐革は前記皮革と同じものを使用して、革繊維の伸びが少ない方向に裁断したもので形成されていることを特徴とする。
【考案の効果】
【００２３】
本考案の第１の態様の帯ハンドバッグによれば、帯ハンドバッグは、皮革と女性用きもの帯から絵柄部分を含めた所定大きさに裁断したきもの帯片とが組み合わされているので、以下の特徴を備えている。すなわち、この帯ハンドバッグは、日本のきもの帯、すなわち絵柄などを付けた帯地と西洋のハンドバッグ、すなわち西洋技術の革とを組み合わしたものとなっているので、日本のきもの帯に伝承された帯文化と西洋の革製バッグ文化とが融合して、大量生産でなく、一つ一つがハンドメイドとなって、ハンドバッグに日本のきもの帯が持つ繊細・精緻に創り上られた模様、気品、優雅さなど崇高な伝統美を反映させて日本のきもの帯を創作・蘇生されたものとなっている。また、この帯ハンドバッグは、きもの帯の帯地が使用されても、表面から解れることがなくなり、絵柄が破損するこがなく、さらに型崩れがしない。さらにまた、バッグ本体は、底部及び裏面部が革で形成されているので、革が布などに比べて、耐摩耗性、耐水性、耐薬品性などがあり、一方で汚れ難く、仮に汚れが付いても簡単に払拭できる。
【００２４】
また、本考案の第２の態様の帯ハンドバッグによれば、きもの帯片は、きもの帯の太鼓部分を裁断したものとなっているので、女性用きもの帯が持つ、伝統美の絵柄をそのまま表にして、デザイン性に優れたハンドバッグを提供できる。
【００２５】
また、本考案の第３の態様の帯ハンドバッグによれば、きもの帯片は絵柄の裏面側が該絵柄の刺繍された帯糸材が表面側へ解れ出さないように解れ防止加工が施されているので、携帯持ち運びの際に、表面が擦れて帯糸材が表面側へ解れ出してしまうことがなく、表面の絵柄などが毀損することがない。
【００２６】
また、本考案の第４の態様の帯ハンドバッグによれば、表面部は、上下及び左右の辺が所定幅長の枠片で囲んで内部に窓穴を設けた額縁状にして、この窓穴がきもの帯片で塞がれているので、バッグ本体の保形性がよく、内部に収納した物品を十分に保護できる。
【００２７】
また、本考案の第５の態様の帯ハンドバッグによれば、上及び左右の辺が所定幅長の枠片で囲んで間に隙間を設けた門型状にして、前記隙間がきもの帯片で塞がれているので、バッグ本体の保形性がよく、内部に収納した物品を十分に保護できる。
【００２８】
また、本考案の第６の態様の帯ハンドバッグによれば、皮革は、動物、爬虫類、鳥類のいずれかの皮を素材に加工したもの、又はそれらのいずれかを組み合わせたものなので、きもの帯片との組合せにより、デザイン性などに優れた帯ハンドバッグを提供できる。
【００２９】
また、本考案の第７の態様の帯ハンドバッグによれば、表面部の皮革ときもの帯片とのコントラストがつき、きもの帯片が引き立つのでデザイン性が向上する。
【００３０】
また、本考案の第８の態様の帯ハンドバッグによれば、バッグ本体の保形性がよく、内部の収納した物品を十分に保護できる。
【００３１】
また、本考案の第９の態様の帯ハンドバッグによれば、バッグ本体の収納部を大きくできる。
【００３２】
また、本考案の第１０の態様の帯ハンドバッグによれば、ポケットが設けてあるので、小物を分けて収納できる。また、ポケットを表面部分のきもの帯と同じもので作製することによって、きもの帯の有効利用ができると共に、表面部分のきもの帯片と調和がとれたものとなる。
【００３３】
また、本考案の第１１の態様の帯ハンドバッグによれば、持ち手部の伸びを抑制できる。
【図面の簡単な説明】
【００３４】
【図１】図１は本考案の実施形態に係る帯ハンドバッグであって前側の表面部が見えるように図示した斜視図である。
【図２】図２は図１の帯ハンドバッグを後側の裏面部が見えるように図示した斜視図である。
【図３】図３は図１の帯ハンドバッグ内にあって裏面（内張り）が見えるように図示した斜視図である。
【図４】図４は帯ハンドバッグの製作工程ブロック図である。
【図５】図５はきもの帯を示し、図５は表面図、図５Ｂは裏面図である。
【図６】図６は裁断したきもの帯片を示し、図６はきもの帯片の平面図、図６Ｂは図６Ａの裏面図、図６Ｃは図６Ｂのきもの帯片を加工した裏面図である。
【図７】図７は皮革を示し、図７Ａは丸革の平面図、図７Ｂは半裁断の平面図である。
【図８】図８は図４の製作工程で作製した一つの帯ハンドバッグの斜視図である。
【図９】図９は図４の製作工程で作製した他の帯ハンドバッグの斜視図である。
【図１０】図１０は。従来技術のバッグの外観斜視図である。
【考案を実施するための形態】
【００３５】
以下、図面を参照して本考案の実施形態を説明する。但し、以下に示す実施形態は、本考案の技術思想を具体化するための帯ハンドバッグを例示するものであって、本考案をこれに特定することを意図するものではなく、実用新案登録請求の範囲に含まれるその他の実施形態のものにも等しく適応し得るものである。この実施形態では、例えば、きもの帯は使用されなくなったものを使用しているが、これに限定されるものでなく、未使用のものでもよい。
【００３６】
［実施形態］
図１〜図３を参照して、本考案の実施形態に係る帯ハンドバッグの構成を説明する。なお、図１は本考案の実施形態に係る帯ハンドバッグであって前側の表面部が見えるように図示した斜視図、図２は図１の帯ハンドバッグを後側の裏面部が見えるように図示した斜視図、図３は図１の帯ハンドバッグを縦方向から切断して内部の内張りが見えるように図示した断面・斜視図である。
【００３７】
本考案の実施形態に係る帯ハンドバッグ１０は、図１、図２に示すように、内部に所定大きさの収納部２０を有するバッグ本体１１と、このバッグ本体の上方の開口側に取付けた持ち手部２１とを備え、バッグ本体１１は、底部及び後側の裏面部１４を皮革で形成し、同バッグ本体の前側の表面部１３を女性用きもの帯を裁断した帯片（以下、きもの帯片という）１５で形成して、裏面部１４側を人の胴部側、表面部１３が外側に位置するようにして、携帯・持ち運び自在なものとなっている。
【００３８】
バッグ本体１１は、図１〜図３に示すように、略細長矩形状をなした所定大きさ（面積）の底部１２と、この底部の長手方向の対向する長辺からそれぞれ上方へ所定高さ延設して対向する前側の表面部１３及び後側の裏面部１４と、底部１２の対向する短辺からそれぞれ上方へ所定高さ延設した対向する左右のマチ部１６ａ、１６ｂと、上方面に所定大きさの開口を有し内部に所定大きさの空間が形成された収納部２０とを備え、上方面が蓋覆い部１７で覆われて、この蓋覆い部１７に開口１８が形成されて、この開口１８に開閉自在な閉鎖手段、例えばスライドファスナ１９を設けて、このスライドファスナ１９を開くことにより、上面部が前後に分割されて、開口１８が拡開できるようになっている。また、内部は、布、革などで内張りされて、この内張りで収納部２０が形成されている。なお、図３には内張り２２の一部が示されている。また、この内部には、図３に示したように、所定大きさの小物入れ用のポケット２３、２４が設けてある。これらのポケットは、２個に限定されるものでなく、それ以上、もしくは、それ以下でもよく、これらをきもの帯片で形成するのが好ましい。きもの帯片は、後述する１本のきもの帯を裁断し、きもの帯片１５以外の部分を使用する。これらのポケットを表面部分のきもの帯と同じもので作製することによって、きもの帯の有効利用ができると共に、表面部分のきもの帯片と調和がとれたものとなる。
【００３９】
バッグ本体１１は、底部１２、裏面部１４、左右のマチ部１６ａ、１６ｂ、蓋覆い部１７及び表面部１３の一部の枠片１４１〜１４４が皮革で形成され、表面部１３がきもの帯片１５で形成されている。すなわち、表面部１３は、中央部に所定大きさの窓穴１４０及び周囲を所定幅長の四辺の枠片１４１〜１４４で囲まれた額縁状にし、窓穴１４０がきもの帯片１５で塞がれている。各枠片１４１〜１４４の幅長は、バッグ本体１１の大きさによって異なるが数センチ程度にしてある。また、表面部１３の上辺の枠片１４４に一方の持ち手部が取付けてある。表面部１３を四辺の枠片１４１〜１４４で囲み内部に所定大きさの窓穴を有する額縁状にし、各枠片１４１〜１４４が皮革で形成されているので、強度が増し、型崩れが抑えられる。また、これらの枠片できもの帯片１５を堅固に固定することができる。すなわち、バッグ本体の保形性がよく、内部に収納した物品を十分に保護できる。さらに、表面部１３は、上辺の枠片１４４に一方の持ち手部が取付けてあるので、持ち手部の固定がしっかりしたものとなる。この実施形態では、表面部を額縁状にしたが、四辺の枠片１４１〜１４４のうち、いずれかの枠片を省いてもよい。例えば、下辺の枠片１４１、また、左右の枠片１４２、１４４、或いは上辺の枠片１４４を省いてもよい。これらの枠片を省いても補強などが可能となる。
【００４０】
革は、牛、馬、豚、羊などの動物、ワニ、蛇、トカゲなどの爬虫類、或いはダチョウなどの鳥類の皮を加工したものを使用する。これらの動物、爬虫類及び鳥類などは、これらの産地、年齢などによって皮質が異なるが、この皮を加工（なめし）した革（皮革ともいう）を使用する。皮加工は、なめした後に、各種の色付けや、表面加工（例、シュッリン加工）したものを使用する。加工した皮、すなわち皮革は皮が安定するので、バッグ本体１１には、この安定状態になったものを使用する。この皮革は、部位によっても革質が異なる。例えば、牛革は、背骨部分が少々硬くて伸び難く、腹部分が柔らかくて伸びやすい特性を持っている。これらの特性を考慮して、所定の領域を裁断して使用する。この実施形態に係るバッグ本体は、牛革では、背部分の革が安定して、伸びが少ないので、底部１２から開口１８へ向かっては、開口側が肩部になるように切断するのが好ましい。したがって、表面部及び裏面部側の革は、開口側が伸び難なくなり、バッグ本体が保形性を維持し型崩れがない。また、底部は、通常、敷き材を配設するので、何れかの革でもよい。また、蛇皮（パイソン）は；背胴センターを中心に両サイドに剥ぎ取った皮を加工したものが好ましい。
【００４１】
以下、使用する皮革の種類及び色を例示する。皮革は、動物（牛、イタリア（産地）ンシープなど）、爬虫類（パイソン、クロコダイルなど）及び鳥類（オーストリッチなど）などの皮を素材にして、これらの皮をなめし、その後、所望の色付け及び加工、例えばシュリンク加工したものを使用する。牛皮は、シュリンク加工し、色は、クロ、チョコ、ワイン、ヴァイオレット、ブルート、レッド、コニャック、タンジェリン、ベージュ、カーキのいずれか、パイソンは、クロ、ビター、チョコ、レッド、カーベラ、ディープシー、ジャングル、ナチュラル、プラチナパープル、プラチナビター、プラチナグリーン、プラチナワイン、セレブブルーのいずれか、また、オーストリッチは、クロ、チョコ、ワイン、キプロス、ヴァイオレット、ブルージン、インデアンピンク、チェスナット、オリックス、イタリアンシープは、クロ、チョコ、ワイン、及びクロコダイルはクロ、チョコ、ライトワインなどを使用する。なお、色の表現は、この分野で慣用的に使用されているものもある。革及び色の選定は、きもの帯に合わせて行う。例えば、革質に関しては、きもの帯質とマッチするように柔軟さなどを考慮し、また、革色は、きもの帯色が赤色が強いものである場合、その反対の黒色を選択するのが好ましい。なお、きもの帯は、きものに合わせ、略反対の色ものが選択されている。この色の選択により、デザイン性がアップする。
【００４２】
このきもの帯は、着用するきもの種類によって異なり、また、季節、場所などによって選ばれて使用されるので、その種類も多くなっている。このきもの帯の詳細は、後述するが、この実施形態では、きもの帯の特徴的な部分、例えば、太鼓部分が最も特徴的な絵柄が付けられているので、この部分を裁断して使用する。この裁断したきもの帯片は、表面に絵柄があるが裏面は織り糸がランダムに露出した状態になっている。このきもの帯片をそのままバッグに使用すると、表面の織り糸が何かに引っ掛かると、この織り糸が解れ、絵柄が壊れてしまう。この解れを防止するために、裏面の織り糸を固定して解れないように解れ防止加工を施す。この解れ防止加工は、片面に接着剤が塗布された片面粘着シート２７の貼付（図６Ｃ参照）、或いは、裏面への接着剤塗布でおこなう。片面粘着シートは、肉薄で可撓性があるものが好ましい。
【００４３】
持ち手部２１は、一対の半環状の革紐２１ａ、２１ｂからからなり、これらの革紐は、所定の幅又は太さを有し、バッグ本体１１の開口側に固定されている。これらの革紐２１ａ、２１ｂは、バッグ本体１１と同じ皮革を使用し、革繊維の伸びが少ない方向に裁断したものを使用する。この皮紐で持ち手部を形成することによって伸びを抑制できる。なお、持ち手部２１は、一対の半環状の革紐で構成したが、一本にして左右のマチ部１６ａ、１６ｂに固定してもよい。
【００４４】
蓋覆い部１７の開口１８には、開閉自在な閉鎖手段としてスライドファスナ１９を設けてある。なお、この開閉自在な閉鎖手段は、任意のものでよい。すなわち、公知のものを使用する。なお、スライドファスナに代えて、他の開閉自在な閉鎖手段、例えば、ホックなどを使用してもよい。
【００４５】
この帯ハンドバッグ１０は、特に、皮革と、きもの帯片とが組み合わされているので、以下の特徴を備えている。すなわち、この帯ハンドバッグは、日本のきもの帯、すなわち絵柄などを付けた帯地と西洋のハンドバッグ、すなわち西洋技術の革とを組み合わしたものとなっているので、日本のきもの帯に伝承された帯文化と西洋の革製バッグ文化とが融合して、大量生産でなく、一つ一つがハンドメイドとなって、ハンドバッグに日本のきもの帯が持つ繊細・精緻に創り上られた模様、気品、優雅さなど崇高な伝統美を反映させて日本帯を創作・蘇生されたものとなっている。また、この帯ハンドバッグは、きもの帯の帯地が使用されても、表面からの解れることがなく、さらに型崩れがしない。さらにまた、バッグ本体は、底部及び裏面部が革で形成されているので、革が布などに比べて、耐摩耗性、耐水性、耐薬品性などがあり、一方で汚れ難く、仮に汚れが付いても簡単に払拭できる。
【００４６】
以下、図４〜図７を参照して、この帯ハンドバッグの作製方法を説明する。なお、図４は帯ハンドバッグの製作工程ブロック図、図５はきもの帯を示し、図５Ａは表面図、図５Ｂは裏面図、図６はきもの片帯を示し、図６Ａは裁断したきもの帯片の平面図、図６Ｂは図６Ａの裏面図、図６Ｃは図６Ｂのきもの帯片を加工した裏面図、図７は皮革を示し、図７Ａは丸革の平面図、図６Ｂは半裁断の平面図である。
【００４７】
帯ハンドバッグ１０は、図４の工程によって、作製する。
（イ）きもの帯の選択・裁断・加工
まず、ステップＳ１できもの帯を選定する。このきもの帯は、ハンドバッグの作製依頼を受ける時に、顧客から持ち込まれるものであり、その種類も多く特定できないものとなっている。本考案の実施形態に係るハンドバッグは、このような特定できないきもの帯を利用するものであるが、以下に、持ち込まれるきもの帯の概要を説明する。
【００４８】
昔から、きもの一枚に帯３本と言われている。これらの帯は、着用するきものの種類によって異なり、また、季節、場所などによって選んで使用されるので、その種類も多くなっている。例えば、礼装用には、通常、織り帯が選ばれている。この織り帯には、錦織や綴織、唐織などがあり、これらは絹の金銀白糸や色糸で格調の高い文様を織り出したものとなっている。また、丸帯、袋帯などがあり、丸帯は仕立てたときに表裏に同じ柄がある。また、袋帯は表地だけに色糸を使った織り模様があり、裏は無地か地模様だけとなっており、現在は表地と裏地を別々に織って、両端をかがったものが主流となっている。袋帯の多くは、金銀糸を使った豪華なものが一般的であるが、金銀を使わず色糸だけで模様を表したものもある。
【００４９】
さらに、帯は、表面に柄（絵柄）があり、この絵柄の表面に占める割合によって、全通、六通、三通などに分かれている。全通は、総柄・通し柄とも呼ばれて、最初から最後まで帯全体に柄があるもの、六通は、全体の六割に柄あるとものであり、帯の下に巻く部分は見えないので側を省いて一般的に、同じ柄なら価格も全通の六割程度で、袋帯の殆どが六通となっている。また、太鼓柄は、飛び柄、またはポイント柄とも呼ばれ、太鼓と前に柄があるもので、全体の三割ほど柄付けがあるところから、別名、三通とも呼ばれている。さらに、産地によっても特色のある地域特産品となっており、例えば、西陣織帯、博多帯、桐生帯などがある。
【００５０】
このように種類の多い不特定の帯が製作者に持ち込まれるが、以下、一般的な帯の例を説明する。一般的なきもの帯２５は、図５に示したように、帯柄は表面２５Ａの左側端部を手先２５ａ１として、手先柄領域２５ａ２、無地領域２５ａ３、帯の胴回し部分となる胴柄領域２５ａ４及び帯の太鼓部を形成する太鼓柄領域２５ａ５となるように構成されており、右側端部がたれ先２５ａ６となっている。また、裏面２５Ｂは一般的に全部無地又は無地に近い柄２５ｂとなっている。このような帯は、通常、着物の上から着用する場合、手先２５ａ１から胴に二周りするように巻き付けることによって、無地領域２５ａ３が胴柄領域２５ａ４によって覆われ、残りの帯部分、すなわち太鼓柄領域２５ａ５が背後で略直角に折り曲げて織り込んで太鼓部を形成し背後に太鼓部が形成されるようにして着付ける。着付けされた帯は、背後の太鼓部が最も目立ち、この部分の絵柄が最も特徴的なものになっている。
【００５１】
ステップＳ２では、太鼓柄領域２５ａ５の太鼓絵柄をバッグ本体１１に使用できるように、所定の大きさのきもの帯片に裁断する。このきもの帯片は、図１の表面部１３の窓穴１４０より若干大きくし、周辺に四辺の枠片に縫製する縫製部分ができるようにしてある。きもの帯片２６は、表面に太鼓絵柄が出現し、裏面がこの絵柄の織り糸が露出している。この露出した織り糸は、任意方向に複雑に這いまわされ、固定されていないので、表面の太鼓絵柄に物が引っ掛かると織り糸が抜け出る、いわゆる解れが発生する。この解れを防止するために、裏面の織り糸を固定して解れないように解れ防止加工を施す。この解れ防止加工は、片面に接着剤が塗布された片面粘着シート２７の貼付（図６Ｃ参照）、或いは、裏面への接着剤塗布でおこなう。片面粘着シートは、肉薄で可撓性があるものが好ましい。なお、解れ防止加工は、この方法に限定されるものでなく、任意の公知の加工法を用いてもよい。（ステップＳ３）。なお、きもの帯片２６は、表面の太鼓絵柄をポリエステル、ポリアミド等で覆ってもよい。この覆いにより、汚れや焼け、色褪せを目立たなくすることが可能になる。また、きもの帯片は、太鼓絵柄領域以外でもよい。
【００５２】
（ロ）革の選択・裁断・加工
また、ステップＳ４で革を選定する。まず、皮と革との関係を概説すると、皮は動物などから剥いで加工していないものを言い、その皮を加工（なめし）したものが革と呼ばれている。すなわち、動物などから剥いだ皮は、そのまま放置して置くと繊維と繊維との間の脂肪や、ゼラチンなどが腐ったり、硬くなったりして使用できなくなるので、この脂肪やゼラチンなどを薬剤を使用して除去することが行われている。この薬剤を使用して脂肪などを取り除き繊維だけにすることをなめしと言い、このなめしたものが革と呼ばれている。また、動物一頭分の革を丸革と言い、背中を中心に左右に切り分けた片側をそれぞれ革が半裁断と呼ばれている。この革は、動物、爬虫類の皮を加工したものを用いる。
【００５３】
皮革は、動物（牛、イタリアンシープなど）、爬虫類（パイソン、クロコダイルなど）及び鳥類（オーストリッチなど）などの皮を素材にして、これらの皮をなめし加工し、その後、所望の色付け及び加工、例えばシュリンク加工したものを使用する。牛皮は、シュリンク加工し、色は、クロ、チョコ、ワイン、ヴァイオレット、ブルート、レッド、コニャック、タンジェリン、ベージュ、カーキのいずれか、パイソンは、クロ、ビター、チョコ、レッド、カーベラ、ディープシー、ジャングル、ナチュラル、プラチナパープル、プラチナビター、プラチナグリーン、プラチナワイン、セレブブルーのいずれか、また、オーストリッチは、クロ、チョコ、ワイン、キプロス、ヴァイオレット、ブルージン、インデアンピンク、チェスナット、オリックス、イタリアンシープは、クロ、チョコ、ワイン、及びクロコダイルはクロ、チョコ、ライトワインなどを使用する。なお、色の表現は、この分野で慣用的に使用されているものもある。
【００５４】
図７は牛の革を示しており、図７Ａは丸革、図７Ｂは半裁断となっている。革は、その繊維に方向性があり、図７Ａの丸革において、矢印は繊維の方向を示している。図７Ａにおいて、この革は、矢印方向に強く（伸び難く）、直角方向に対しては弱い（伸び易い）、という特性を持っている。この特性から、バット部は繊維が緻密で堅牢であり、型崩れが少ない。ベリー部は繊維密度が小さく、弱くて伸び易く、繊維も細い。また、ショルダー部は繊維が粗い。したがって、革の背骨部分は少々硬くて伸び難く、腹部分は革が柔らかで伸び易くなっている。そこで、バッグ本体１１の革部分は、ショルダー部を裁断して用いるのが好ましい。これにより、型崩れを防止できる。蛇皮（パイソン）は背胴センター中心に両サイドに剥ぎ取った皮を加工したものが好ましい。
【００５５】
（ハ）付属品（金具、手持ち片）
金具には、スライドファスナ、手持ち片には革紐を用意する。
【００５６】
ステップＳ１〜Ｓ６で準備して、ステップＳ７で組立てる。この組立てにより、帯ハンドバッグ１０が完成する（ステップＳ８）。
【００５７】
図８、図９の帯ハンドバッグ１０Ａ、１０Ｂは、この方法で製作したハンドバッグの一例である。帯ハンドバッグ１０Ａは、皮革にリザード、シープ、パイソン、オーストリッチ、クロコマット、牛皮シュリンクのいずれかを用い、きもの帯片１５Ａは太鼓柄を裁断したものである。きもの帯片１５Ａは、太鼓柄のうち、絵柄部分１５ａが赤色、１５ａ'が白色となっているので、皮革はこれらの色と反対のクロ色にしてある。
【００５８】
帯ハンドバッグ１０Ｂは、シープ、パイソン、リザート、オーストリッチ、牛皮シュリンクのいずれかを用い、きもの帯片１５Ｂは太鼓柄を裁断したものである。きもの帯片１５Ｂは、太鼓柄のうち、絵柄部分１５ｂが赤色、１５ｂ'が緑色となっているので、皮革はこれらの色と反対のクロ色にしてある。これらの組合わせによって、コントラストがつき、きもの帯片が引き立つのでデザイン性が向上する。
【符号の説明】
【００５９】
１０、１０Ａ、１０Ｂ  帯ハンドバッグ
１１                  バッグ本体
１２                  底部
１３                  表面部
１４                  裏面部
１５、１５Ａ、１５Ｂ  きもの帯片
１６ａ、１６ｂ          マチ部
１７                  蓋覆い部
１８                  開口
１９                  スライドファスナ
２０                  収納部
２１                  持ち手部
２２                  内張り
２３、２４            ポケット
２５                  きもの帯
２５ａ５              太鼓柄領域
２７                  片面粘着シート
【図１】
0003169906.tif 000003
【図２】
0003169906.tif 000004
【図３】
0003169906.tif 000005
【図４】
0003169906.tif 000006
【図５】
0003169906.tif 000007
【図６】
0003169906.tif 000008
【図７】
0003169906.tif 000009
【図１０】
0003169906.tif 000010
【図８】
0003169906.tif 000011
【図９】
0003169906.tif 000012
【手続補正書】
【提出日】平成23年6月15日(2011.6.15)
【手続補正１】
【補正対象書類名】実用新案登録請求の範囲
【補正対象項目名】請求項１
【補正方法】変更
【補正の内容】
【請求項１】
底部の対向する長辺からそれぞれ上方へ所定高さ延設された対向する前側の表面部及び後側の裏面部並びに頂部に開口を設け内部に所定大きさの収納部を有するバッグ本体と、前記バッグ本体の開口側に取付けられた持ち手と、を備えた帯ハンドバッグであって、
前記バッグ本体は、前記底部及び裏面部が皮革からなり、前記表面部が女性用きもの帯から絵柄部分を含めた所定大きさに裁断したきもの帯片からなり、前記きもの帯片には前記絵柄の裏面側が該絵柄の刺繍された帯糸材が表面側へ解れ出さないように解れ防止加工が施されていることを特徴とする帯ハンドバッグ。